(57)【要約】【課題】固定ＴＶ受信機で受信した電子番組表を、携帯型ＴＶ受信機に送出して詳細な番組情報を利用可能にする。【解決手段】本発明の放送受信システムは、前記複数のセグメントのうち移動体向けに割り当てられたセグメントの放送を受信し再生する携帯型受信機１００と、前記複数のセグメントの放送を、前記移動体向けに割り当てられたセグメントの放送に限定しないで受信し再生する固定型受信機２００とを含む。固定型受信機２００は、前記複数のセグメントの放送から付帯情報を受信し、前記携帯型受信機１００に渡す。前記携帯型受信機１００は、前記固定型受信機２００から取得した付帯情報を、自装置の制御又はユーザーへの情報の提示に利用する。【選択図】図１
2007221644.tif 000002
【特許請求の範囲】
【請求項１】
１つのチャンネルが複数のセグメントに分割されたデジタル放送を受信する放送受信システムであって、
前記複数のセグメントのうち移動体向けに割り当てられたセグメントの放送を受信し再生する携帯型受信機と、
前記複数のセグメントの放送を、前記移動体向けに割り当てられたセグメントの放送に限定しないで受信し再生する固定型受信機とを含み、
前記固定型受信機は、前記複数のセグメントの放送から付帯情報を受信し、前記携帯型受信機に渡し、
前記携帯型受信機は、前記固定型受信機から取得した付帯情報を、自装置の制御又はユーザーへの情報の提示に利用する、
放送受信システム。
【請求項２】
前記付帯情報は、電子番組表に関する情報である、請求項１に記載の放送受信システム。
【請求項３】
前記携帯型受信機及び前記固定型受信機は、メモリーカードを装着可能なメモリーカードスロットをそれぞれ備え、
前記固定型受信機は、前記メモリーカードを介して、前記付帯情報を前記携帯型受信機に渡す、
請求項１又は請求項２に記載の放送受信システム。
【請求項４】
前記携帯型受信機は、前記固定型受信機から既に受信した付帯情報が、現在以降の自装置の制御又はユーザーへの提示のために利用する情報を含んでいない場合には、自装置により１セグメント放送に含まれる付帯情報を受信し、その受信した付帯情報を自装置の制御又はユーザーへの提示のために利用する、
請求項１〜請求項３のいずれかに記載の放送受信システム。
【請求項５】
１つのチャンネルが複数のセグメントに分割されたデジタル放送のうち移動体向けに割り当てられたセグメントの放送を受信し再生する携帯型受信機であって、
前記複数のセグメントの放送を、前記移動体向けに割り当てられたセグメントの放送に限定しないで受信し再生する固定型受信機が前記複数のセグメントの放送から受信した付帯情報を、前記固定型受信機から取得し、
前記固定型受信機から取得した付帯情報を、自装置の制御又はユーザーへの情報の提示に利用する、
携帯型受信機。
【発明の詳細な説明】
【技術分野】
【０００１】
本発明は、放送番組内容に関する付帯情報を用いて番組表の表示や、視聴制御、予約録画制御等が可能な携帯型放送受信機に関する。
【背景技術】
【０００２】
近年、放送番組内容や放送番組の開始時刻と終了時刻等の放送番組に係る付帯情報を放送局が放送波に重畳して送出し、放送受信機側においては、受信した放送波から放送番組に係る付帯情報を抽出し、番組表としてテレビ画面に表示したり、あるいは、放送番組に係る付帯情報を用いて、放送番組の視聴制御や録画制御を行う機能が実用化されている（例えば、特許文献１参照）。
【０００３】
こうした放送番組に係る付帯情報には、複数の放送局（チャンネル）の番組内容情報と開始・終了時刻に関する情報が１週間分含まれており、一般的な新聞社が発行する新聞に掲載されるテレビ番組欄１週間分に相当する番組情報を活用することが出来る。
【０００４】
これにより、例えば、放送番組に係る付帯情報から作成した番組表を基に、１週間先までの放送予定を使用者が確認したり、あるいは、１週間先に放送が予定されている放送番組の視聴予約や、録画予約を行うことも可能となっている。
【特許文献１】特開２００５−１１００２３号公報
【発明の開示】
【発明が解決しようとする課題】
【０００５】
しかしながら、例えば２００６年から放送開始が予定されている携帯型受信機向け地上デジタル放送（地上デジタル１セグ放送）等、放送の伝送帯域が狭く、放送局から送出出来る情報量が少ない場合には、放送番組内容に関する付帯情報の情報量も制限され、番組内容と開始・終了時刻に関する情報は、例えば、自局（１局）の現在放送中の番組、及び、次に放送される番組に限られることがある。
【０００６】
よって、他局（現在受信している放送局以外の局）の番組や、あるいは、現在放送されている番組とその次に放送される番組より後に放送される番組に関しては、番組内容、開始・終了時刻に関する情報を得ることが出来ず、一般的な新聞社が発行する新聞に掲載されるテレビ番組欄の様な番組表を表示する（使用者に提供する）ことが出来ない。
【０００７】
また、これ（番組表）を用いた視聴予約や、録画予約も著しく限られた範囲でしか行うことが出来ないといった問題がある。
【０００８】
こうした問題を解決するために、放送局が放送波に重畳して送出する付帯情報の代わりに、放送番組の番組内容と開始・終了時刻に関する情報を提供する特定のＷｅｂサイトにインターネット経由でアクセスし、Ｗｅｂサイトから放送番組の番組内容と開始・終了時刻に関する情報を取得するといった手段も考えられるが、インターネットにアクセスするための通信手段、及び、通信・ネットワーク処理を行うためのソフトウェアを、携帯型受信機に実装する必要があり、携帯型受信機のコストが大幅にアップするという課題がある。
【０００９】
例えば、通信手段としては、無線ＬＡＮ用モジュールや、あるいは、モデム、ＰＨＳ、携帯電話に代表される公衆回線網アクセス手段といったハードウェアが必要となる。
【００１０】
加えて、これらの通信手段（ハードウェア）の制御処理、インターネットへアクセスするための通信・ネットワーク処理といったソフトウェアが必要となり、プログラムサイズが大幅に増大する。
【００１１】
結果として、プログラムを格納しておくためのフラッシュメモリや、プログラムを実行するための例えばＳＤＲＡＭ等のワークメモリの容量が大きくなり、コストアップにつながる。
【００１２】
また、これらプログラムを実行するＣＰＵに関しても、より高性能なＣＰＵが求められる様になり、これもまたコストアップの要因となる。
【課題を解決するための手段】
【００１３】
上記課題を解決するため、本発明の放送受信システムは、１つのチャンネルが複数のセグメントに分割されたデジタル放送を受信する放送受信システムであって、複数のセグメントのうち移動体向けに割り当てられたセグメントの放送を受信し再生する携帯型受信機と、複数のセグメントの放送を、移動体向けに割り当てられたセグメントの放送に限定しないで受信し再生する固定型受信機とを含み、固定型受信機は、複数のセグメントの放送から付帯情報を受信し、携帯型受信機に渡し、携帯型受信機は、固定型受信機から取得した付帯情報を、自装置の制御又はユーザーへの情報の提示に利用する。
【００１４】
ここで、付帯情報は、電子番組表に関する情報であってもよい。
【００１５】
また、携帯型受信機及び固定型受信機は、メモリーカードを装着可能なメモリーカードスロットをそれぞれ備え、固定型受信機は、メモリーカードを介して、付帯情報を携帯型受信機に渡すようにしてもよい。
【００１６】
また、携帯型受信機は、固定型受信機から既に受信した付帯情報が、現在以降の自装置の制御又はユーザーへの提示のために利用する情報を含んでいない場合には、自装置により１セグメント放送に含まれる付帯情報を受信し、その受信した付帯情報を自装置の制御又はユーザーへの提示のために利用するようにしてもよい。
【発明の効果】
【００１７】
固定型受信機が放送波を受信して抽出した放送番組に係る付帯情報には、複数の放送局（チャンネル）の番組内容情報と開始・終了時刻に関する情報が１週間分含まれており、携帯型受信機は、データ保持部に格納した複数の放送局（チャンネル）の番組内容情報と開始・終了時刻に関する１週間分の情報を基に、番組表を作成して表示することにより、１週間先までの放送予定を使用者が確認したり、あるいは、１週間先に放送が予定されている放送番組の視聴予約や、録画予約を行うことも可能となる。
【００１８】
また、携帯型受信機が、固定型受信機から放送番組に係る付帯情報を受信するためのインターフェース手段は、無線ＬＡＮ用モジュールや、ＰＨＳ・携帯電話に代表される公衆回線網アクセス手段に比して安価に実現が可能である。
【００１９】
また、携帯型受信機が、固定型受信機から放送番組に係る付帯情報をメモリーカードを介して取得する場合には、カード制御・インターフェース部を搭載する民生機器の増大に伴い、最小限の機能追加で実現が可能となる可能性が高く、より詳細な番組表の提供を最小限のコストアップで実現することが出来る。
【発明を実施するための最良の形態】
【００２０】
（実施の形態１）
以下本発明の実施をするための最良の形態を具体的に示した実施の形態について、図面とともに記載する。
【００２１】
図１は、本発明の実施の形態１にかかる地上デジタル放送システムの構成を示す概念図である。地上デジタル放送発信基地３００は、地上デジタル放送波を発信する。日本の地上デジタル方式では、１つのチャンネルが１３のセグメントに分割され、映像やデータ、音声などを送信する。１３のセグメントのうち１つは移動体向け放送に用いられる。
【００２２】
携帯型受信機１００は、移動体向け放送である１セグメント放送を受信する。そして、携帯型受信機１００は、受信した１セグメント放送に基づいて映像や音声、データを再生する。一方、固定型受信機２００は、移動体向け放送を除く１２セグメントの放送波を受信する。固定型受信機２００は、１２セグメントの放送波を受信できるので、携帯型受信機１００に比べて大容量の映像やデータを再生可能である。
【００２３】
携帯型受信機１００と固定型受信機２００とは信号線４００で結線する。固定型受信機２００は、地上デジタル放送発信基地３００から発信された１２セグメント放送に含まれるデータを受信し、そのうちの一部をユーザーの操作に応じて、信号線４００を介して携帯型受信機１００に送信する。携帯型受信機１００は、固定型受信機２００から受信したデータを内部のメモリに保存し、自装置の制御やユーザーへの情報提示に利用する。携帯型受信機１００が固定型受信機２００から受信するデータ（付帯情報）は、例えば電子番組表である。
【００２４】
図２は、固定型受信機２００の構成を示すブロック図である。図２において、２０１は１３セグメント放送受信部、２０２はシステム制御・信号処理部、２０３はデータ保持部、２０４は表示部、２０５は携帯型受信機インターフェース部、２０６はカード制御・インターフェース部、２０７はメモリーカードである。
【００２５】
放送受信部２０１は、放送局から送信された映像データ及び／又は音声データ、及び／又はその他の付帯情報データを含む地上波デジタル放送信号を受信して、システム制御・信号処理部２０２が指定した特定のチャンネルの周波数に同調し、放送信号を復調して、ＴＳ２１２を出力する。実施の形態においては、１３セグメント放送受信部２０１は、無線で送信された放送信号を受信する。これに代えて、１３セグメント放送受信部２０１は、有線で送信された放送信号を受信しても良い。
【００２６】
システム制御・信号処理部２０２は、ＴＳクロック２１３とＴＳ２１２に含まれる時間情報とに基づいて、システムタイムクロック（ＳＴＣ）を生成し、システムタイムクロックを用いてＴＳ２１２をデコードして、映像データ及び／又は音声データを出力し、また、その他の付帯情報データを抽出する。
【００２７】
システム制御・信号処理部２０２は、抽出した放送番組に係る付帯情報を、データ保持部２０３に書き込む。地上デジタル放送信号に含まれる映像データ及び／又は音声データは、それぞれデータ圧縮されており、システム制御・信号処理部２０２は、映像データ及び／又は音声データを伸長し、生成した（伸長した）映像データを表示部２０４に伝送する。実施の形態において、システム制御・信号処理部２０２が受信するデジタル信号ストリームはＭＰＥＧ２−ＴＳ形式である。
【００２８】
以上の固定型受信機向け地上デジタル放送（地上デジタル１３セグ放送）受信に必要な基本機能を実現する構成要素に加え、本発明の固定型受信機２００は、携帯型受信機インターフェース部２０５及び／又はカード制御・インターフェース部２０６を備える。携帯型受信機インターフェース部２０５が、その入出力ポートである２１８と、前述した携帯型受信機側のインターフェース部１０５の入出力ポートである１１８とで接続されると、データ保持部２０３に格納されているＴＳ２１２をデコードし抽出した付帯情報を、システム制御・信号処理部２０２が読み出し、携帯型受信機インターフェース部２０５を介して、携帯型受信機１００に送出する。
【００２９】
図３は、本発明の実施の形態の携帯型受信機１００の構成を示すブロック図である。
図１において、１０１は放送受信部、１０２はシステム制御・信号処理部、１０３はデータ保持部、１０４は表示部、１０５は固定型受信機インターフェース部、１０６はカード制御・インターフェース部、１０７はメモリーカードである。
【００３０】
１セグメント放送受信部１０１は、放送局から送信された映像データ及び／又は音声データ、及び／又はその他の付帯情報データを含む地上波デジタル放送信号を受信して、システム制御・信号処理部１０２が指定した特定のチャンネルの周波数に同調し、放送信号を復調して、ＴＳ１１２を出力する。実施の形態においては、１セグメント放送受信部１０１は、無線で送信された放送信号を受信する。これに代えて、１セグメント放送受信部１０１は、有線で送信された放送信号を受信しても良い。
【００３１】
システム制御・信号処理部１０２は、ＴＳクロック１１３とＴＳ１１２に含まれる時間情報とに基づいて、システムタイムクロック（ＳＴＣ）を生成し、システムタイムクロックを用いてＴＳ１１２をデコードして、映像データ及び／又は音声データを出力し、また、その他の付帯情報データを抽出する。システム制御・信号処理部１０２は、抽出した放送番組に係る付帯情報を、データ保持部１０３に書き込む。
【００３２】
地上デジタル放送信号に含まれる映像データ及び／又は音声データは、それぞれデータ圧縮されており、システム制御・信号処理部１０２は、映像データ及び／又は音声データを伸長し、生成した（伸長した）映像データを表示部１０４に伝送する。実施の形態において、システム制御・信号処理部１０２が受信するデジタル信号ストリームはＭＰＥＧ２−ＴＳ形式である。
【００３３】
以上の携帯型受信機向け地上デジタル放送（地上デジタル１セグ放送）受信に必要な基本機能を実現する構成要素に加え、本発明の携帯型放送受信機は、固定型受信機インターフェース部１０５及び／又はカード制御・インターフェース部１０６を備える。
【００３４】
固定型受信機インターフェース部１０５は、その入出力ポートである１１８と、
後述する固定型受信機側のインターフェース部２０５の入出力ポートである２１８とが接続されると、固定型受信機から、固定型受信機が放送波を受信して抽出した付帯情報を受信して、システム制御・信号処理部１０２に送出する。
【００３５】
システム制御・信号処理部１０２は、固定型受信機が放送波を受信して抽出した付帯情報を、固定型受信機インターフェース部１０５から受信すると、その内容をデータ保持部１０３に書き込む。
【００３６】
以上の様にして、データ保持部１０３には、１セグメント放送受信部１０１で受信し、復調したＴＳ１１２をデコードすることにより得られた付帯情報データが保持される。また、これに加えて又はこれに代えて、データ保持部１０３はは、固定型受信機インターフェース部１０５を介して得た、固定型受信機２００が放送波を受信して抽出した付帯情報が保持され得る。
【００３７】
ＴＳ１１２をデコードして得られた付帯情報は、携帯型受信機向け地上デジタル放送（地上デジタル１セグ放送）用であるため、番組内容と開始・終了時刻に関する情報は、自局（１局）の現在放送中の番組、及び、次に放送される番組に限られる。よって、他局（現在受信している放送局以外の局）の番組や、あるいは、現在放送されている番組とその次に放送される番組より後に放送される番組に関しては、番組内容、開始・終了時刻に関する情報を得ることが出来ず、一般的な新聞社が発行する新聞に掲載されるテレビ番組欄の様な番組表を表示する（使用者に提供する）ことが出来ない。また、これ（番組表）を用いた視聴予約機能や、録画予約機能も著しく限られたものとなる。
【００３８】
一方、固定型受信機インターフェース部１０５を介して得た、固定型受信機が放送波を受信して抽出した付帯情報は、複数の放送局（チャンネル）の番組内容情報と開始・終了時刻に関する情報が１週間分含まれており、一般的な新聞社が発行する新聞に掲載されるテレビ番組欄１週間分に相当する番組情報が含まれている。
【００３９】
よって、例えば、放送番組に係る付帯情報から作成した番組表を基に、１週間先までの放送予定を使用者が確認したり、あるいは、１週間先に放送が予定されている放送番組の視聴予約や、録画予約を行うことも可能である。
【００４０】
システム制御・信号処理部１０２は、番組表（電子プログラムガイド）を表示したり、あるいは、番組表を用いた視聴制御や、録画予約を行う際、データ保持部１０３に格納されているデータに関し確認を行い、固定型受信機インターフェース部１０５を介して得た、固定型受信機向けの付帯情報がデータ保持部１０３に存在し、かつ、その付帯情報が、有効であるかどうかの判定を行って、有効である場合には、固定型受信機インターフェース部１０５を介して得た、固定型受信機向けの付帯情報を用いて番組表（電子プログラムガイド）を表示、もしくは、この番組表を用いた視聴制御や、録画予約を行い、固定型受信機向けの付帯情報がデータ保持部１０３に存在しない、もしくは、存在するが無効である場合には、携帯型受信機向けの付帯情報を用いて番組表（電子プログラムガイド）を表示、もしくは、この番組表を用いた視聴制御や、録画予約を行う。
【００４１】
データ保持部１０３に格納されている付帯情報の有効、無効の判定は、付帯情報を取得した年月日と時刻に関する情報、及び／又は付帯情報に含まれる番組の放送予定年月日と時刻に関する情報と、現在の年月日、時刻に関する情報とを比較することによって行われる。すなわち、データ保持部１０３に格納されている付帯情報が、現在以降の自装置の制御又はユーザーへの提示のために利用する情報を含んでいない場合（既に過去のものとなっている場合）には、この付帯情報は利用すべきでない情報であると判断する。この場合、携帯型受信機１００は、固定型受信機２００から取得してデータ保持部１０３に保持している付帯情報を利用するのではなく、１セグメント放送受信部１０１を介して１セグメント放送に含まれる付帯情報を受信し、その受信した付帯情報を自装置の制御又はユーザーへの提示のために利用する。
【００４２】
なお、本実施の形態１では、信号線４００として有線を利用したが、これには限らず、無線インターフェースを用いて実現してもよい。
【００４３】
（実施の形態２）
本発明の実施の形態１では、固定型受信機２００から携帯型受信機１００への付帯情報の送信は信号線４００を介して行うこととした。これに対して、本発明の実施の形態２では、上記送信をメモリーカード３０１を介して行うこととする。
【００４４】
携帯型受信機１００は、付帯情報が書き込まれたメモリーカード３０１が、携帯型受信機１００のメモリーカードスロットに挿入されると、カード制御・インターフェース部１０６を介して、メモリーカード３０１から、固定型受信機２００が放送波を受信して抽出した付帯情報を読み出し、システム制御・信号処理部１０２に送出する。
システム制御・信号処理部は１０２は、カード制御・インターフェース部１０６から受信した固定型受信機２００が放送波を受信して抽出した付帯情報を、データ保持部１０３に書き込む。
【００４５】
これにより、固定型受信機２００と携帯型受信機１００との間に特別にインターフェースを設けることなく、容易に固定型受信機２００から携帯型受信機１００に付帯情報を送信できる。
【産業上の利用可能性】
【００４６】
本発明は、例えば地上デジタル１セグメント放送を受信する携帯型受信機に有用である。より具体的には、デジタル放送受信機能を有する携帯電話端末や、デジタルカメラ、ＤＶＤプレーヤー、カーナビゲーションシステム等に適用可能である。
【図面の簡単な説明】
【００４７】
【図１】本発明の放送受信システムの構成を示す模式図
【図２】本発明の実施の形態の固定型受信機の構成を示すブロック図
【図３】本発明の実施の形態の携帯型受信機の構成を示すブロック図
【符号の説明】
【００４８】
１０１    放送受信部
１０２    システム制御・信号処理部
１０３    データ保持部
１０４    表示部
１０５    固定型受信機インターフェース部
１０６    カード制御・インターフェース部
２０１    放送受信部
２０２    システム制御・信号処理部
２０３    データ保持部
２０４    表示部
２０５    固定型受信機インターフェース部
２０６    カード制御・インターフェース部
３００    地上デジタル放送発信基地
３０１    メモリーカード
４００    信号線
【図１】
2007221644.tif 000003
【図２】
2007221644.tif 000004
【図３】
2007221644.tif 000005